(57)【特許請求の範囲】
【請求項１】
第１無線基地局と、前記第１無線基地局と通信可能な第２無線基地局と、前記第１無線基地局から前記第２無線基地局へ接続先を切り替える無線端末とを含むパケット通信システムであって、
前記第１無線基地局は、
前記無線端末に送信すべきパケットに対し、前記無線端末と前記第１無線基地局との下り方向通信の制御に用いられる第１制御データを挿入する第１制御データ挿入部と、
前記接続先の切り替え時において、前記第１制御データ挿入部によって前記第１制御データが挿入された前記パケットを前記第２無線基地局に転送するパケット転送部と
を備え、
前記第２無線基地局は、
前記無線端末と前記第２無線基地局との下り方向通信の無線品質が所定品質を下回る場合に、前記第１無線基地局から受信した前記パケットに挿入されている前記第１制御データを削除するとともに当該第１制御データに基づく当該パケットの処理を実行する制御データ削除部と、
前記第１制御データが削除された前記パケットに対し、前記無線端末と前記第２無線基地局との下り方向通信の制御に用いられる第２制御データを挿入する第２制御データ挿入部と、
前記第２制御データ挿入部によって前記第２制御データが挿入された前記パケットを前記無線端末に送信するパケット送信部と
を備え、
前記無線端末は、前記第２無線基地局から受信した前記パケットに挿入されている前記第２制御データに基づく受信処理を実行するパケット通信システム。
【請求項２】
前記制御データ削除部は、前記第１無線基地局から受信した前記パケットが特定種別のパケットである場合に前記第１制御データを削除し、前記第１無線基地局から受信した前記パケットが前記特定種別と異なる種別のパケットである場合に前記第１制御データの削除を中止し、
前記パケット送信部は、前記制御データ削除部によって前記第１制御データの削除が中止された場合、前記第１制御データと前記第２制御データとが挿入された前記パケットを前記無線端末に送信し、
前記無線端末は、
前記第２無線基地局から受信した前記パケットに挿入されている前記第１制御データに基づく受信処理を実行する第１受信処理部と、
前記第２無線基地局から受信した前記パケットに挿入されている前記第２制御データに基づく受信処理を実行する第２受信処理部と
を備える請求項１に記載のパケット通信システム。
【請求項３】
前記特定種別のパケットは、音声データ又は映像データの少なくとも一方を伝送するリアルタイム通信用のパケットである請求項２に記載のパケット通信システム。
【請求項４】
前記制御データ削除部は、前記無線品質が前記所定品質を上回る場合に前記第１制御データの削除を中止し、
前記パケット送信部は、前記制御データ削除部によって前記第１制御データの削除が中止された場合、前記第１制御データと前記第２制御データとが挿入された前記パケットを前記無線端末に送信し、
前記無線端末は、
前記第２無線基地局から受信した前記パケットに挿入されている前記第１制御データに基づく受信処理を実行する第１受信処理部と、
前記第２無線基地局から受信した前記パケットに挿入されている前記第２制御データに基づく受信処理を実行する第２受信処理部と
を備える請求項１に記載のパケット通信システム。
【請求項５】
前記第１制御データ及び前記第２制御データは、前記パケットの分割と、分割された前記パケットの再構築とに用いられるデータである請求項1に記載のパケット通信システム。
【請求項６】
前記第１制御データ及び前記第２制御データは、前記パケットの再送制御に用いられるデータである請求項1に記載のパケット通信システム。
【請求項７】
前記第１制御データ及び前記第２制御データは、前記パケットの用途に応じたストリームへの振り分けに用いられるデータである請求項1に記載のパケット通信システム。
【請求項８】
第１無線通信装置と、前記第１無線通信装置と通信可能な第２無線通信装置と、前記第１無線通信装置から前記第２無線通信装置へ接続先を切り替える第３無線通信装置とを含むパケット通信システムであって、
前記第１無線通信装置は、
前記第３無線通信装置に送信すべきパケットに対し、前記第３無線通信装置と前記第１無線通信装置との通信の制御に用いられる第１制御データを挿入する第１制御データ挿入部と、
前記接続先の切り替え時において、前記第１制御データ挿入部によって前記第１制御データが挿入された前記パケットを前記第２無線通信装置に転送するパケット転送部と
を備え、
前記第２無線通信装置は、
前記第２無線通信装置から前記第３無線通信装置への下り方向通信の無線品質が所定品質を下回る場合に、前記第１無線通信装置から受信した前記パケットに挿入されている前記第１制御データを削除するとともに当該第１制御データに基づく当該パケットの処理を実行する制御データ削除部と、
前記第１制御データが削除された前記パケットに対し、前記第３無線通信装置と前記第２無線通信装置との通信の制御に用いられる第２制御データを挿入する第２制御データ挿入部と、
前記第２制御データ挿入部によって前記第２制御データが挿入された前記パケットを前記第３無線通信装置に送信するパケット送信部と
を備え、
前記第３無線通信装置は、前記第２無線通信装置から受信した前記パケットに挿入されている前記第２制御データに基づく受信処理を実行するパケット通信システム。
【請求項９】
無線端末の接続先の切り替え時において、前記接続先の切り替え元となる他の無線基地局から、前記無線端末と前記他の無線基地局との下り方向通信の制御に用いられる第１制御データが挿入されたパケットを受信するとともに、前記接続先の切り替え先となる無線基地局であって、
前記無線端末と自局との下り方向通信の無線品質が所定品質を下回る場合に、前記他の無線基地局から受信した前記パケットに挿入されている前記第１制御データを削除するとともに当該第１制御データに基づく当該パケットの処理を実行する制御データ削除部と、
前記第１制御データが削除された前記パケットに対し、前記無線端末と前記第２無線基地局との下り方向通信の制御に用いられる第２制御データを挿入する制御データ挿入部と、
前記制御データ挿入部によって前記第２制御データが挿入された前記パケットを前記無線端末に送信するパケット送信部と
を備える無線基地局。
【請求項１０】
第１無線基地局と、前記第１無線基地局と通信可能な第２無線基地局と、前記第１無線基地局から前記第２無線基地局へ接続先を切り替える無線端末とに用いられるパケット通信方法であって、
前記第１無線基地局が、前記無線端末に送信すべきパケットに対し、前記無線端末と前記第１無線基地局との下り方向通信の制御に用いられる第１制御データを挿入するステップと、
前記第１無線基地局が、前記接続先の切り替え時において、前記第１制御データが挿入された前記パケットを前記第２無線基地局に転送するステップと、
前記第２無線基地局が、前記無線端末と前記第２無線基地局との下り方向通信の無線品質が所定品質を下回る場合に、前記第１無線基地局から受信した前記パケットに挿入されている前記第１制御データを削除するとともに当該第１制御データに基づく当該パケットの処理を実行するステップと、
前記第２無線基地局が、前記第１制御データが削除された前記パケットに対し、前記無線端末と前記第２無線基地局との下り方向通信の制御に用いられる第２制御データを挿入するステップと、
前記第２無線基地局が、前記第２制御データが挿入された前記パケットを前記無線端末に送信するステップと、
前記無線端末が、前記第２無線基地局から受信した前記パケットに挿入されている前記第２制御データに基づく受信処理を実行するステップと
を備えるパケット通信方法。 
【発明の詳細な説明】
【技術分野】
【０００１】
本発明は、無線基地局間でパケットを転送可能なパケット通信システム、無線基地局及びパケット通信方法に関する。
【背景技術】
【０００２】
従来、無線端末は、移動中などにおいてより条件の良い無線基地局へ接続先を切り替えるハンドオーバを行っている。このようなハンドオーバ時において、無線端末へ送信すべきパケットを、ハンドオーバ元の無線基地局からハンドオーバ先の無線基地局へ転送するパケット通信システムが提案されている。このような方式を採用するパケット通信システムとしては、例えば3GPP2（Third Generation Partnership Project 2）にて規格策定中のUMB（Ultra Mobile Broadband）が挙げられる（例えば、非特許文献１参照）。
【０００３】
また、無線端末は、ハンドオーバ元の無線基地局からハンドオーバ先の無線基地局へ転送されたパケットをハンドオーバ先の無線基地局から受信する。これにより、ハンドオーバ元の無線基地局において無線端末に未送信のパケットをハンドオーバ先の無線基地局から無線端末へ送信することができ、無線端末へ送信すべきパケットのパケットロスが低減される。
【０００４】
このようなパケット通信システムにおいて、ハンドオーバ元の無線基地局及びハンドオーバ先の無線基地局のそれぞれは、無線端末との下り方向通信の制御に用いられる制御データをパケットのヘッダとして挿入する。
【０００５】
そして、無線端末は、ハンドオーバ先の無線基地局から受信したパケットに挿入されている各制御データに基づく受信処理を実行する。具体的には、無線端末は、ハンドオーバ先の無線基地局が挿入した制御データに基づく受信処理後に、ハンドオーバ元の無線基地局が挿入した制御データに基づく受信処理を実行する。このような方式は、受信処理の画一化・統一化という点においてメリットがある。
【非特許文献１】“Overview for Ultra Mobile Broadband (UMB) Air Interface Specification（3GPP2 C.S0084-000-0）”、［ｏｎｌｉｎｅ］、［平成２０年２月２０日検索］、＜ＵＲＬ：http://www.3gpp2.org/Public_html/specs/C.S0084-000-0_v2.0_070904.pdf＞
【発明の開示】
【発明が解決しようとする課題】
【０００６】
しかしながら、ハンドオーバ元の無線基地局及びハンドオーバ先の無線基地局のそれぞれがパケットに制御データを挿入する場合、ハンドオーバ先の無線基地局から無線端末へ送信されるパケットにおける制御データ（ヘッダ）の占める割合であるオーバヘッドが増大する問題があった。
【０００７】
また、無線端末は、ハンドオーバ元の無線基地局がパケットに挿入した制御データに基づく受信処理と、ハンドオーバ先の無線基地局がパケットに挿入した制御データに基づく受信処理とを実行するため、無線端末の処理負荷が増大するとともに消費電力が増大する。一般的に無線端末は、処理資源（ＣＰＵ処理能力やメモリ容量など）が少なく、且つ有限なバッテリによって駆動されており、無線端末の処理負荷が増大することは好ましくない。
【０００８】
そこで、本発明は、上述した課題を解決するためになされたものであり、無線端末のハンドオーバ時に無線基地局間でパケット転送を行うシステム構成において、ハンドオーバ先の無線基地局から無線端末へ送信されるパケットにおけるオーバヘッドと、無線端末の処理負荷とを低減可能なパケット通信システム、無線基地局及びパケット通信方法を提供することを目的とする。
【課題を解決するための手段】
【０００９】
上述した課題を解決するために、本発明は以下のような側面を有している。まず、本発明の第１の側面は、第１無線基地局（第１無線基地局１Ａ）と、前記第１無線基地局と通信可能な第２無線基地局（第２無線基地局１Ｂ）と、前記第１無線基地局から前記第２無線基地局へ接続先を切り替える無線端末（無線端末２）とを含むパケット通信システム（パケット通信システム１００）であって、前記第１無線基地局は、前記無線端末に送信すべきパケットに対し、前記無線端末と前記第１無線基地局との下り方向通信の制御に用いられる第１制御データ（ＲＬＰヘッダ（Ａ）、ＳＰヘッダ（Ａ）、ＲＰヘッダ（Ａ））を挿入する第１制御データ挿入部（ＲＬＰ部１３Ａ、ＳＰ部１４Ａ及びＲＰ部１５Ａ）と、前記接続先の切り替え時において、前記第１制御データ挿入部によって前記第１制御データが挿入された前記パケットを前記第２無線基地局に転送するパケット転送部（ＲＰ部１５Ａ）とを備え、前記第２無線基地局は、前記無線端末と前記第２無線基地局との下り方向通信の無線品質が所定品質を下回る場合に、前記第１無線基地局から受信した前記パケットに挿入されている前記第１制御データを削除するとともに当該第１制御データに基づく当該パケットの処理を実行する制御データ削除部（ヘッダ削除部５０）と、前記第１制御データが削除された前記パケットに対し、前記無線端末と前記第２無線基地局との下り方向通信の制御に用いられる第２制御データ（ＲＰヘッダ（Ｂ）、ＳＰヘッダ（Ｂ）及びＲＬＰヘッダ（Ｂ））を挿入する第２制御データ挿入部（ＲＬＰ部１３Ｂ、ＳＰ部１４Ｂ及びＲＰ部１５Ｂ）と、前記第２制御データ挿入部によって前記第２制御データが挿入された前記パケットを前記無線端末に送信するパケット送信部（ＰＣＰ／ＭＡＣ／ＰＨＹ部１６Ｂ）とを備え、前記無線端末は、前記第２無線基地局から受信した前記パケットに挿入されている前記第２制御データに基づく受信処理を実行することを要旨とする。
【００１０】
このようなパケット通信システムによれば、無線端末のハンドオーバ時に無線基地局間でパケット転送を行うシステム構成において、ハンドオーバ先の無線基地局から無線端末へ送信されるパケットにおけるオーバヘッドと、無線端末の処理負荷とを低減可能なパケット通信システムを提供することができる。
【００１１】
本発明の第２の側面は、本発明の第１の側面に係り、前記制御データ削除部は、前記第１無線基地局から受信した前記パケットが特定種別のパケットである場合に前記第１制御データを削除し、前記第１無線基地局から受信した前記パケットが前記特定種別と異なる種別のパケットである場合に前記第１制御データの削除を中止し、前記パケット送信部は、前記制御データ削除部によって前記第１制御データの削除が中止された場合、前記第１制御データと前記第２制御データとが挿入された前記パケットを前記無線端末に送信し、前記無線端末は、前記第２無線基地局から受信した前記パケットに挿入されている前記第１制御データに基づく受信処理を実行する第１受信処理部（第１受信処理部２０Ａ）と、前記第２無線基地局から受信した前記パケットに挿入されている前記第２制御データに基づく受信処理を実行する第２受信処理部（第２受信処理部２０Ｂ）とを備えることを要旨とする。
【００１２】
本発明の第３の側面は、本発明の第２の側面に係り、前記特定種別のパケットは、音声データ又は映像データの少なくとも一方を伝送するリアルタイム通信用のパケットであることを要旨とする。
【００１３】
本発明の第４の側面は、本発明の第１の側面に係り、前記制御データ削除部は、前記無線品質が前記所定品質を上回る場合に前記第１制御データの削除を中止し、前記パケット送信部は、前記制御データ削除部によって前記第１制御データの削除が中止された場合、前記第１制御データと前記第２制御データとが挿入された前記パケットを前記無線端末に送信し、前記無線端末は、前記第２無線基地局から受信した前記パケットに挿入されている前記第１制御データに基づく受信処理を実行する第１受信処理部（第１受信処理部２０Ａ）と、前記第２無線基地局から受信した前記パケットに挿入されている前記第２制御データに基づく受信処理を実行する第２受信処理部（第２受信処理部２０Ｂ）とを備えることを要旨とする。
【００１４】
本発明の第５の側面は、本発明の第２又は第４の側面に係り、前記第１制御データ及び前記第２制御データは、前記第１受信処理部及び前記第２受信処理部間での前記パケットの転送に用いられるデータであることを要旨とする。
【００１５】
本発明の第５の側面は、本発明の第１の側面に係り、前記第１制御データ及び前記第２制御データは、前記パケットの分割と、分割された前記パケットの再構築とに用いられるデータであることを要旨とする。
【００１６】
本発明の第６の側面は、本発明の第１の側面に係り、前記第１制御データ及び前記第２制御データは、前記パケットの再送制御に用いられるデータであることを要旨とする。
【００１７】
本発明の第７の側面は、本発明の第１の側面に係り、前記第１制御データ及び前記第２制御データは、前記パケットの用途に応じたストリームへの振り分けに用いられるデータであることを要旨とする。
【００１８】
本発明の第８の側面は、第１無線通信装置（第１無線基地局１Ａ）と、前記第１無線通信装置と通信可能な第２無線通信装置（第２無線基地局１Ｂ）と、前記第１無線通信装置から前記第２無線通信装置へ接続先を切り替える第３無線通信装置（無線端末２）とを含むパケット通信システム（パケット通信システム１００）であって、前記第１無線通信装置は、前記第３無線通信装置に送信すべきパケットに対し、前記第３無線通信装置と前記第１無線通信装置との通信の制御に用いられる第１制御データを挿入する第１制御データ挿入部と、前記接続先の切り替え時において、前記第１制御データ挿入部によって前記第１制御データが挿入された前記パケットを前記第２無線通信装置に転送するパケット転送部とを備え、前記第２無線通信装置は、前記第２無線通信装置から前記第３無線通信装置への下り方向通信の無線品質が所定品質を下回る場合に、前記第１無線通信装置から受信した前記パケットに挿入されている前記第１制御データを削除するとともに当該第１制御データに基づく当該パケットの処理を実行する制御データ削除部と、前記第１制御データが削除された前記パケットに対し、前記第３無線通信装置と前記第２無線通信装置との通信の制御に用いられる第２制御データを挿入する第２制御データ挿入部と、前記第２制御データ挿入部によって前記第２制御データが挿入された前記パケットを前記第３無線通信装置に送信するパケット送信部とを備え、前記第３無線通信装置は、前記第２無線通信装置から受信した前記パケットに挿入されている前記第２制御データに基づく受信処理を実行するパケット通信システム。
【００１９】
本発明の第９の側面は、無線端末（無線端末２）の接続先の切り替え時において、前記接続先の切り替え元となる他の無線基地局（第１無線基地局１Ａ）から、前記無線端末と前記他の無線基地局との下り方向通信の制御に用いられる第１制御データが挿入されたパケットを受信するとともに、前記接続先の切り替え先となる無線基地局（第２無線基地局１Ｂ）であって、前記無線端末と自局との下り方向通信の無線品質が所定品質を下回る場合に、前記他の無線基地局から受信した前記パケットに挿入されている前記第１制御データを削除するとともに当該第１制御データに基づく当該パケットの処理を実行する制御データ削除部（ヘッダ削除部５０）と、前記第１制御データが削除された前記パケットに対し、前記無線端末と前記第２無線基地局との下り方向通信の制御に用いられる第２制御データを挿入する制御データ挿入部（ＲＬＰ部１３Ａ、ＳＰ部１４Ａ及びＲＰ部１５Ａ）と、前記制御データ挿入部によって前記第２制御データが挿入された前記パケットを前記無線端末に送信するパケット送信部（ＰＣＰ／ＭＡＣ／ＰＨＹ部１６Ｂ）とを備えることを要旨とする。
【００２０】
本発明の第１０の側面は、第１無線基地局と、前記第１無線基地局と通信可能な第２無線基地局と、前記第１無線基地局から前記第２無線基地局へ接続先を切り替える無線端末とに用いられるパケット通信方法であって、前記第１無線基地局が、前記無線端末に送信すべきパケットに対し、前記無線端末と前記第１無線基地局との下り方向通信の制御に用いられる第１制御データを挿入するステップと、前記第１無線基地局が、前記接続先の切り替え時において、前記第１制御データが挿入された前記パケットを前記第２無線基地局に転送するステップと、前記第２無線基地局が、前記無線端末と前記第２無線基地局との下り方向通信の無線品質が所定品質を下回る場合に、前記第１無線基地局から受信した前記パケットに挿入されている前記第１制御データを削除するとともに当該第１制御データに基づく当該パケットの処理を実行するステップと、前記第２無線基地局が、前記第１制御データが削除された前記パケットに対し、前記無線端末と前記第２無線基地局との下り方向通信の制御に用いられる第２制御データを挿入するステップと、前記第２無線基地局が、前記第２制御データが挿入された前記パケットを前記無線端末に送信するステップと、前記無線端末が、前記第２無線基地局から受信した前記パケットに挿入されている前記第２制御データに基づく受信処理を実行するステップとを備えることを要旨とする。
【発明の効果】
【００２１】
本発明によれば、無線端末のハンドオーバ時に無線基地局間でパケット転送を行うシステム構成において、ハンドオーバ先の無線基地局から無線端末へ送信されるパケットにおけるオーバヘッドと、無線端末の処理負荷とを低減可能なパケット通信システム、無線基地局及びパケット通信方法を提供できる。
【発明を実施するための最良の形態】
【００２２】
次に、図面を参照して、本発明の実施形態を説明する。具体的には、（１）パケット通信システムの概略構成、（２）パケット通信システムの詳細構成、（３）パケットの構成、（４）パケット通信システムの動作、（４．２）ハンドオーバ先無線基地局の動作、（５）作用及び効果、（６）その他の実施形態について説明する。
【００２３】
以下の実施形態における図面の記載において、同一又は類似の部分には同一又は類似の符号を付している。
【００２４】
（１）パケット通信システムの概略構成
まず、パケット通信システムの概略構成、具体的には、（１．１）全体概略構成、（１．２）無線基地局の概略構成、（１．３）無線端末の概略構成について説明する。
【００２５】
（１．１）全体概略構成
図１は、本実施形態に係るパケット通信システム１００の全体概略構成図である。
【００２６】
図１に示すように、パケット通信システム１００は、第１無線基地局１Ａ、第２無線基地局１Ｂ、無線端末２、アクセスゲートウェイ３、及びインターネット４を含む。本実施形態では、パケット通信システム１００は、広域ＩＰブロードバンドシステムの１つである3GPP2 UMB Air Interface （以下、単に「ＵＭＢシステム」という）に基づく構成を有する。
【００２７】
第１無線基地局１Ａ、第２無線基地局１Ｂ及びアクセスゲートウェイ３は、図示を省略するルータなどを介して互いに有線接続されている。第１無線基地局１Ａ及び第２無線基地局１Ｂは、アクセスゲートウェイ３を介してインターネット４と通信可能である。また、第１無線基地局１Ａ及び第２無線基地局１Ｂは、互いに通信（すなわち、基地局間通信）することができる。
【００２８】
第１無線基地局１Ａ及び第２無線基地局１Ｂは、通信可能エリア内に位置する無線端末２と無線通信する。無線端末２は、第１無線基地局１Ａ及び第２無線基地局１Ｂが送信する無線信号（例えば、パイロット信号）の受信品質を比較して受信品質が高い方に接続する。
【００２９】
図１の例では、無線端末２は、第１無線基地局１Ａの通信可能エリアから第２無線基地局１Ｂの通信可能エリアに向けて移動しており、第１無線基地局１Ａから第２無線基地局１Ｂへ接続先を切り替えるハンドオーバを実行する。
【００３０】
ここで、第１無線基地局１Ａと、第１無線基地局１Ａ及びアクセスゲートウェイ３間の通信経路とには、無線端末２に送信すべき下りパケットが残存することになる。そこで、第１無線基地局１Ａは、アクセスゲートウェイ３と第２無線基地局１Ｂとの中継局（アンカー）となり、無線端末２へ未送信のパケットを第２無線基地局１Ｂへ基地局間通信を利用して転送する。これにより、パケットロスの少ないハンドオーバが実現される。
【００３１】
ＵＭＢシステムにおいては、第１無線基地局１Ａのようにアクセスゲートウェイ３及び第２無線基地局１Ｂ間の中継局として機能する無線基地局をＤＡＰ(Data Attachment Point)と称し、第２無線基地局１Ｂのように実際に無線端末２に下りパケットを送信する無線基地局をＦＬＳＥ(Forward Link Serving eBS)と称し、第２無線基地局１Ｂのように実際に無線端末２から上りパケットを受信する無線基地局をＲＬＳＥ(Reverse Link Serving eBS)と称している。なお、ＦＬＳＥとＲＬＳＥとが異なる無線基地局となる場合もある。
【００３２】
特に、ＵＭＢシステムでは、第１無線基地局１Ａにて送信予定であったパケットに、第２無線基地局１Ｂがハンドオーバ元の第１無線基地局１Ａを示す情報を付与し、第２無線基地局１Ｂから送信する通常のパケットとして扱い、所定の処理を行った後無線端末２に送信する。
【００３３】
具体的には、ハンドオーバ元の第１無線基地局１Ａ及びハンドオーバ先の第２無線基地局１Ｂのそれぞれは、無線端末２との下り方向通信の制御に用いられる制御データをパケットのヘッダとして挿入する。以下においては、ハンドオーバ元の第１無線基地局１Ａがパケットに挿入する制御データ（ヘッダ）を適宜「第１制御データ」と称し、ハンドオーバ先の第２無線基地局１Ｂがパケットに挿入する制御データ（ヘッダ）を適宜「第２制御データ」と称する。
【００３４】
通常のＵＭＢシステムでは、無線端末２は、ハンドオーバ先の第２無線基地局１Ｂから受信したパケットに挿入されている第１制御データ及び第２制御データに基づく受信処理を実行する。これは、ハンドオーバをシームレスに実現させるために有効な手段であるが、余分なヘッダが付加されるためトラフィックも増大してしまう。
【００３５】
そこで、本実施形態では、ハンドオーバ先の第２無線基地局１Ｂは、第１無線基地局１Ａから受信したパケットに挿入されている第１制御データを削除するものとする。
【００３６】
なお、ＵＭＢシステムにおいて、ハンドオーバ元の第１無線基地局１Ａからハンドオーバ先の第２無線基地局１ＢへＤＡＰを切り替える方式として、以下の（ａ）〜（ｃ）などが想定されている。
【００３７】
（ａ）ハンドオーバから一定期間経過した後に、ＤＡＰを第１無線基地局１Ａから第２無線基地局１Ｂに切り替える方式
（ｂ）送受信のユーザデータトラフィックがなくなった際に、ＤＡＰを第１無線基地局１Ａから第２無線基地局１Ｂに切り替える方式
（ｃ）第１無線基地局１Ａにて未処理・未送信のデータを第２無線基地局１Ｂに送信が完了した際に、ＤＡＰを第１無線基地局１Ａから第２無線基地局１Ｂに切り替える方式
【００３８】
このようにＤＡＰを第１無線基地局１Ａから第２無線基地局１Ｂに切り替えることによってＤＡＰとＦＬＳＥとが同じ無線基地局になる。
【００３９】
以下の実施形態では、下り方向通信（フォワードリンク）において、第１無線基地局１ＡがＤＡＰであり、且つ第２無線基地局１ＢがＦＬＳＥである場合について説明する。また、無線端末２が、音声通信（ＶｏＩＰ）やメディア通信などのリアルタイム通信を実行する場合について説明する。
【００４０】
（１．２）無線基地局の概略構成
図２は、第１無線基地局１Ａの概略構成を示す概略構成図である。第２無線基地局１Ｂの概略構成は第１無線基地局１Ａと同様であるため、第２無線基地局１Ｂの概略構成についての説明は省略する。
【００４１】
図２に示すように、第１無線基地局１Ａは、ＲＦ部１０１、制御部１０２、Ｉ／Ｆ部１０３、及び記憶部１０４を含む。
【００４２】
ＲＦ部１０１は、ＬＮＡ、パワーアンプ、アップコンバータ及びダウンコンバータなどを含み、無線信号の送受信を行う。Ｉ／Ｆ部１０３は、ルータなどを介して第２無線基地局１Ｂ及びアクセスゲートウェイ３に有線接続される。
【００４３】
制御部１０２は、例えばＣＰＵによって構成され、第１無線基地局１Ａが具備する各種機能を制御する。また、制御部１０２は、後述する各種のプロトコルに従った処理を実行する。記憶部１０４は、例えばメモリによって構成され、第１無線基地局１Ａにおける制御などに用いられる各種情報を記憶する。
【００４４】
（１．３）無線端末の概略構成
図３は、無線端末２の概略構成を示す概略構成図である。
【００４５】
図３に示すように、無線端末２は、ＲＦ部２０１、操作部２０２、制御部２０３、音声コーデック部２０４、マイク２０５、スピーカ２０６、表示部２０７、及び記憶部２０８を含む。
【００４６】
ＲＦ部２０１は、ＬＮＡ、パワーアンプ、アップコンバータ及びダウンコンバータなどを含み、無線信号の送受信を行う。制御部２０３は、例えばＣＰＵによって構成され、無線端末２が具備する各種機能を制御する。また、制御部２０３は、後述する各種のプロトコルに従った処理を実行する。記憶部２０８は、例えばメモリによって構成され、無線端末２における制御などに用いられる各種情報を記憶する。
【００４７】
表示部２０７は、制御部２０３を介して受信した画像を表示したり、操作内容（入力電話番号やアドレスなど）を表示したりする。操作部２０２は、テンキーやファンクションキーなどによって構成され、ユーザの操作内容を入力するために用いられるインタフェースである。
【００４８】
マイク２０５は、音声を集音し、集音された音声に基づく音声データを音声コーデック部２０４経由で制御部２０３に入力する。スピーカ２０６は、音声コーデック部２０４を介して制御部２０３から取得した音声データに基づいて音声を出力する。
【００４９】
音声コーデック部２０４は、例えば音声コーデック方式Ｇ．７２９に従って構成される。Ｇ．７２９は、アナログ電話帯域（３．４ｋＨｚ≒４ｋＨｚ）の信号を８ｋＨｚでサンプリング（標本化）し、８ｋｂｐｓの伝送速度を実現する方式であり、狭帯域の伝送路を使用した通信において適応力がある。
【００５０】
（２）パケット通信システムの詳細構成
次に、パケット通信システム１００の詳細構成について説明する。図４は、第２無線基地局１Ｂに設けられるヘッダ削除部５０を説明するための図である。
【００５１】
ヘッダ削除部５０は、ハンドオーバ先の第２無線基地局１Ｂに設けられ、第１無線基地局１Ａから受信したパケットに挿入されている第１制御データを削除する。
【００５２】
通常のＵＭＢシステムでは、無線端末２の内部に、通信相手の無線基地局の数に合わせて複数の受信モジュールが存在する。図４の例では、第１受信処理部２０Ａは、第１無線基地局１Ａに対応する受信モジュールであり、第１制御データに基づく受信処理を実行する。第２受信処理部２０Ｂは、第２無線基地局１Ｂに対応する受信モジュールであり、第２制御データに基づく受信処理を実行する。
【００５３】
本実施形態では、ヘッダ削除部５０によって第１制御データが削除されるため、無線端末２が第２無線基地局１Ｂから受信するパケットは、第１無線基地局１Ａを経由したにも拘わらず、第１制御データを含まないものとなる。つまり、第１受信処理部２０Ａによる受信処理が実行されないことになる。このため、本実施形態では、第１受信処理部２０Ａを不要とすることができる。
【００５４】
なお、ＵＭＢシステムでは、IETF RFC3931 Layer Two Tunneling Protocol-Version 3 (L2TPv3)、IETF RFC2784 Generic Routing Encapsulation (GRE)に代表されるようなIPトンネリング技術が採用される。具体的には、第１無線基地局１Ａとアクセスゲートウェイ３間のユーザデータベアラにはＧＲＥが採用され、第１無線基地局１Ａと第２無線基地局１Ｂ間のユーザデータベアラにはL2TPv3が採用される。
【００５５】
図５は、第１無線基地局１Ａ、第２無線基地局１Ｂ及び無線端末２の詳細構成を示す機能ブロック構成図である。なお、図５は、ＵＭＢシステムに基づくプロトコルスタック図も兼ねている。
【００５６】
図５に示すように、第１無線基地局１Ａは、通常のＵＭＢシステムに従った構成の送信処理部１０Ａを有する。具体的には、送信処理部１０Ａは、ＡＰＰ部１１Ａ、ＩＲＴＰ部１２Ａ、ＲＬＰ部１３Ａ、ＳＰ部１４Ａ、ＲＰ部１５Ａ、及びＰＣＰ／ＭＡＣ／ＰＨＹ部１６Ａを含む。
【００５７】
第２無線基地局１Ｂは、上述したヘッダ削除部５０に加え、通常のＵＭＢシステムに従った構成の送信処理部１０Ｂを含む。送信処理部１０Ｂは、ＡＰＰ部１１Ｂ、ＩＲＴＰ部１２Ｂ、ＲＬＰ部１３Ｂ、ＳＰ部１４Ｂ、ＲＰ部１５Ｂ、及びＰＣＰ／ＭＡＣ／ＰＨＹ部１６Ｂを含む。
【００５８】
ヘッダ削除部５０は、無線端末２の第１受信処理部２０Ａと同様の構成を有している。具体的には、ヘッダ削除部５０は、ＲＰヘッダ削除部５５、ＳＰヘッダ削除部５４及びＲＬＰヘッダ削除部５３を含む。ＲＰヘッダ削除部５５は、第１受信処理部２０ＡのＲＰ部２５Ａに相当する機能ブロックである。ＳＰヘッダ削除部５４は、第１受信処理部２０ＡのＳＰ部２４Ａに相当する機能ブロックである。ＲＬＰヘッダ削除部５３は、第１受信処理部２０ＡのＲＬＰ部２３Ａに相当する機能ブロックである。なお、図５の例では、ヘッダ削除部５０はＡＰＰ部５１、ＩＲＴＰ部５２、ＰＣＰ／ＭＡＣ／ＰＨＹ部５６を含んでいるが、これらの機能ブロックは不要としてもよい。
【００５９】
無線端末２の第２受信処理部２０Ｂは、通常のＵＭＢシステムに従った構成であり、ＡＰＰ部２１Ｂ、ＩＲＴＰ部２２Ｂ、ＲＬＰ部２３Ｂ、ＳＰ部２４Ｂ、ＲＰ部２５Ｂ、及びＰＣＰ／ＭＡＣ／ＰＨＹ部２６Ｂを含む。
【００６０】
ＡＰＰ部１１Ａ、ＡＰＰ部１１Ｂ及びＡＰＰ部２１Ｂは、ＵＭＢシステムにおけるＡＰＰ（Application Protocol）に基づく処理を実行する。ＡＰＰは、ＩＰ（Internet Protocol）、ＲＯＨＣ（RObust Header Compression）、ＥＡＰ（Extensible Authentication Protocol）などのスタンダードプロトコルを複数有するプロトコルである。
【００６１】
ＩＲＴＰ部１２Ａ、ＩＲＴＰ部１２Ｂ及びＩＲＴＰ部２２Ｂは、ＵＭＢシステムにおけるＩＲＴＰ（Inter-Route Tunneling Protocol）に基づく処理を実行する。ＩＲＴＰは、無線端末内のモジュール間転送機能を有するプロトコルである。
【００６２】
ＲＬＰ部１３Ａ、ＲＬＰヘッダ削除部５３、ＲＬＰ部１３Ｂ及びＲＬＰ部２３Ｂは、ＵＭＢシステムにおけるＲＬＰ（Radio Link Protocol）に基づく処理を実行する。ＲＬＰは、パケット分割と再構築、下りの再送制御機能を有するプロトコルである。具体的には、ＲＬＰでは、パケット分割と再構築を行うＳＡＲ（Segmentation And Reassembly）サブプロトコルと、再送制御を行うＱＮ（Quick Nak）サブプロトコルとが規定されている。
【００６３】
ＳＰ部１４Ａ、ＳＰヘッダ削除部５４、ＳＰ部１４Ｂ及びＳＰ部２４Ｂは、ＵＭＢシステムにおけるＳＰ（Stream Protocol）に基づく処理を実行する。ＳＰは、分割された上位パケットをそれぞれのストリーム（パケットストリーム）に振り分けるプロトコルである。ここで、ＵＭＢシステムでは、ストリームとして、例えば次のような用途が規定されている。ストリーム０：Broadcast Signaling on forward link and Reserved on reverse link、ストリーム1：Best Effort Delivery Signaling、ストリーム2：Reliable Delivery Signaling、ストリーム3：Broadcast Inter Route Tunneling on forward link and Reserved on reverse link、ストリーム4：Best Effort Delivery Inter Route Tunnelingなど。
【００６４】
ＲＰ部１５Ａ、ＲＰヘッダ削除部５５、ＲＰ部１５Ｂ及びＲＰ部２５Ｂは、ＵＭＢシステムにおけるＲＰ（Route Protocol）に基づく処理を実行する。ＲＰは、無線端末−無線基地局間の通信経路（サービスルート）を選択するプロトコルである。
【００６５】
なお、上記のＲＬＰ、ＳＰ、ＲＰの各プロトコルは、ＵＭＢシステムで規定される無線リンクレイヤにおけるプロトコルである。
【００６６】
ＰＣＰ／ＭＡＣ／ＰＨＹ部１６Ａ、ＰＣＰ／ＭＡＣ／ＰＨＹ部１６Ｂ及びＰＣＰ／ＭＡＣ／ＰＨＹ部２６Ｂは、ＵＭＢシステムにおけるＰＣＰ／ＭＡＣ／ＰＨＹ(Packet Consolidation Protocol/MAC/PHY)に基づく処理を実行する。ＰＣＰ／ＭＡＣ／ＰＨＹは、上位パケットをカプセリング化して無線送信する機能を有するプロトコルである。
【００６７】
ハンドオーバ直後のデータの流れとして、第１無線基地局１Ａは、ＡＰＰ部１１ＡからのＡＰＰデータを、ＲＬＰ部１３Ａにおいて分割し、ＳＰ部１４Ａ及びＲＰ部１５Ａを介して、第２無線基地局１Ｂに転送する。その際、ＲＬＰ部１３ＡはＲＬＰヘッダ（Ａ）を付加し、ＳＰ部１４ＡはＳＰヘッダ（Ａ）を付加し、ＲＰ部１５ＡはＲＰヘッダ（Ａ）を付加する。
【００６８】
本実施形態において、ＲＬＰ部１３Ａ、ＳＰ部１４Ａ及びＲＰ部１５Ａは、無線端末２と第１無線基地局１Ａとの下り方向通信の制御に用いられる第１制御データ（ＲＬＰヘッダ（Ａ）、ＳＰヘッダ（Ａ）、ＲＰヘッダ（Ａ））を挿入する第１制御データ挿入部を構成する。また、ＲＰ部１５Ａは、無線端末２のハンドオーバ時において、第１制御データが挿入されたパケットを第２無線基地局１Ｂに転送するパケット転送部を構成する。
【００６９】
第２無線基地局１Ｂは、第１無線基地局１Ａから受信したパケットを、ＲＰヘッダ削除部５５、ＳＰヘッダ削除部５４及びＲＬＰヘッダ削除部５３を介して、ＲＬＰ部１３Ｂに内部転送する。その際、ＲＰヘッダ削除部５５、ＳＰヘッダ削除部５４及びＲＬＰヘッダ削除部５３は、第１制御データ（ＲＬＰヘッダ（Ａ）、ＳＰヘッダ（Ａ）、ＲＰヘッダ（Ａ））を削除する。
【００７０】
その後、パケットは、ＲＬＰ部１３Ｂ、ＳＰ部１４Ｂ、ＲＰ部１５Ｂ及びＰＣＰ／ＭＡＣ／ＰＨＹ部１６Ｂを介して無線端末２に送信される。ここで、ＲＬＰ部１３ＢはＲＬＰヘッダ（Ｂ）を付加し、ＳＰ部１４ＢはＳＰヘッダ（Ｂ）を付加し、ＲＰ部１５ＢはＲＰヘッダ（Ｂ）を付加する。
【００７１】
本実施形態において、ＲＬＰ部１３Ｂ、ＳＰ部１４Ｂ及びＲＰ部１５Ｂは、第１制御データが削除されたパケットに対し、無線端末２と第２無線基地局１Ｂとの下り方向通信の制御に用いられる第２制御データを挿入する第２制御データ挿入部を構成する。また、ＰＣＰ／ＭＡＣ／ＰＨＹ部１６Ｂは、第２制御データが挿入されたパケットを無線端末２に送信するパケット送信部を構成する。
【００７２】
無線端末２の第２受信処理部２０Ｂは、第２無線基地局１Ｂから受信したパケットに挿入されている第２制御データに基づく受信処理を実行する。具体的には、ＲＰ部２５Ｂ、ＳＰ部２４Ｂ及びＲＬＰ部２３Ｂは、第２受信処理部２０ＢのＰＣＰ／ＭＡＣ／ＰＨＹ部２６Ｂで受信されたパケットに対し、第２制御データを構成するＲＰヘッダ（Ｂ）、ＳＰヘッダ（Ｂ）及びＲＬＰヘッダ（Ｂ）を取り外し、ＡＰＰ部２１Ｂに渡す。
【００７３】
（３）パケットの構成
図６は、パケット通信システム１００において用いられるパケットの構成を示す図である。
【００７４】
ＲＬＰ部１３Ａ及びＲＬＰ部１３Ｂは、図６（ａ）に示すようなＡＰＰデータを分割（フラグメント）し、分割したデータにＲＬＰヘッダを付加し、図６（ｂ）に示すＲＬＰパケットを生成する。ＲＬＰヘッダには、フラグメントされたデータの始点や終点を示すデータや、再送処理に使用されるシーケンス番号などが挿入される。
【００７５】
ＳＰ部１４Ａ及びＳＰ部１４Ｂは、図６（ｂ）に示すＲＬＰパケットにＳＰヘッダを付加し、図６（ｃ）に示すＳＰパケットを生成する。ＳＰヘッダには、ＲＬＰパケットの用途に応じたストリームへの振り分けに用いられるデータが挿入される。
【００７６】
ＲＰ部１５Ａ及びＲＰ部１５Ｂは、図６（ｃ）に示すＳＰパケットにＲＰヘッダを付加し、図６（ｄ）に示すＲＰパケットを生成する。ＲＰヘッダには、上記サービスルートを識別するためのデータが挿入される。
【００７７】
さらに、通常のＵＭＢシステムでは、ＩＲＴＰ部１２Ｂは、ハンドオーバ元の第１無線基地局１Ａを示すＩＲＴＰヘッダを付加する。この結果、ＲＬＰヘッダ、ＳＰヘッダ、ＲＰヘッダ、ＩＲＴＰヘッダ合計で３バイト〜３３バイトとなる。
【００７８】
一方、本実施形態では、ＲＬＰ部１３Ａ、ＳＰ部１４Ａ、ＲＰ部１５Ａ及びＩＲＴＰ部１２Ｂが付加するヘッダを省略（削除）することができるため、オーバヘッドを大幅に削減可能となる。
【００７９】
（４）パケット通信システムの動作
次に、パケット通信システムの動作、具体的には、（４．１）パケット通信システムの全体概略動作、（４．２）ハンドオーバ先無線基地局の動作について説明する。
【００８０】
（４．１）パケット通信システムの全体概略動作
図７は、パケット通信システムの全体概略動作を説明するための概念図である。
【００８１】
図７に示すように、第１無線基地局１Ａは、アクセスゲートウェイ３から受信したＩＰペイロードに対し、第１無線基地局１Ａ用の各種ヘッダ（ＲＬＰヘッダ（Ａ）、ＳＰヘッダ（Ａ）、ＲＰヘッダ（Ａ））を付与し、第２無線基地局１Ｂに転送する。
【００８２】
このパケットを受信した第２無線基地局１Ｂは、第１無線基地局１Ａ用の各種ヘッダ（ＲＬＰヘッダ（Ａ）、ＳＰヘッダ（Ａ）、ＲＰヘッダ（Ａ））を削除し、第２無線基地局１Ｂ用の各種ヘッダ（ＲＬＰヘッダ（Ｂ）、ＳＰヘッダ（Ｂ）、ＲＰヘッダ（Ｂ））を付与し、無線端末２に送信する。
【００８３】
（４．２）ハンドオーバ先無線基地局の動作
図８は、ハンドオーバ先無線基地局（すなわち、第２無線基地局１Ｂ）の動作を示すフローチャートである。
【００８４】
ステップＳ１０１において、第２無線基地局１Ｂは、他の無線基地局（本実施形態では第１無線基地局１Ａ）からパケットを受信したか否かを判定する。第１無線基地局１Ａからパケットを受信した場合には処理がステップＳ１０２に進む。第１無線基地局１Ａ以外の装置（例えばアクセスゲートウェイ３）からパケットを受信した場合には、処理がステップＳ１０５に進む。
【００８５】
ステップＳ１０２において、ＲＰヘッダ削除部５５は、第１無線基地局１Ａから受信したパケットに挿入されているＲＰヘッダを削除する。
【００８６】
ステップＳ１０３において、ＳＰヘッダ削除部５４は、第１無線基地局１Ａから受信したパケットに挿入されているＳＰヘッダを削除する。
【００８７】
ステップＳ１０４において、ＲＬＰヘッダ削除部５３は、第１無線基地局１Ａから受信したパケットに挿入されているＲＬＰヘッダを削除する。
【００８８】
ステップＳ１０５において、ＲＬＰ部１３Ｂは、ＲＬＰ（Radio Link Protocol）に従った処理を実行する。
【００８９】
ステップＳ１０５において、ＳＰ部１４Ｂは、ＳＰ（Stream Protocol）に従った処理を実行する。
【００９０】
ステップＳ１０５において、ＲＰ部１５Ｂは、ＲＰ（Route Protocol）に従った処理を実行する。
【００９１】
（５）作用及び効果
以上説明したように、本実施形態に係るパケット通信システム１００では、第２無線基地局１Ｂは、第１無線基地局１Ａから受信したパケットに挿入されている第１制御データ（ＲＰヘッダ（Ａ）、ＳＰヘッダ（Ａ）及びＲＬＰヘッダ（Ａ））を削除するヘッダ削除部５０を備える。そして、第２無線基地局１Ｂは、第２制御データ（ＲＰヘッダ（Ｂ）、ＳＰヘッダ（Ｂ）及びＲＬＰヘッダ（Ｂ））を挿入し、第２制御データが挿入されたパケットを無線端末２に送信する。無線端末２は、第２無線基地局１Ｂから受信したパケットに挿入されている第２制御データに基づく受信処理を実行する。
【００９２】
したがって、第２無線基地局１Ｂから無線端末２へ送信されるパケットでは、第１制御データ（ＲＰヘッダ（Ａ）、ＳＰヘッダ（Ａ）及びＲＬＰヘッダ（Ａ））が省略され、当該パケットのオーバヘッドを低減可能となる。また、無線端末２では、第１制御データに基づく受信処理が省略されるため、無線端末の処理負荷も低減することができる。
【００９３】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９４】
（６．１）変更例１
上述した実施形態では、第２無線基地局１Ｂは、第１無線基地局１Ａから受信した全てのパケットについて第１制御データを削除していた。しかしながら、第２無線基地局１Ｂは、音声パケットなどのリアルタイム通信用パケットについてのみ第１制御データを削除する構成でもよい。すなわち、リアルタイム通信用パケット以外のパケットについては、図９に示す通常のＵＭＢシステムのプロトコルスタックが適用される。本変更例では、第２無線基地局１Ｂが、音声パケットなどのリアルタイム通信用パケットについてのみ第１制御データを削除する構成について説明する。
【００９５】
図１０は、リアルタイム通信用パケットの判別動作を説明するための図である。第１無線基地局１ＡのＲＬＰ部１３Ａは、リアルタイム通信用パケットであるか否かを判別する。ここでは、リアルタイム通信用パケットの判別動作として、音声パケット（ＶｏＩＰパケット）の判別動作について説明する。
【００９６】
例えば、音声パケットの判別方法としては、ＵＤＰ（User Datagram Protocol）であり、且つ音声パケットとして適切なＩＰペイロードサイズの連続したパケットであるか否かを判別することができる。音声パケットとして適切なＩＰペイロードサイズの判定基準は、使用用途やＱｏＳポリシーにより様々な設定が考えられるが、本実施形態では以下の方式を採用する。
【００９７】
ＶｏＩＰアプリケーションの音声符号化方式としてＧ．７２９などを採用している場合、データサイズの少ないパケットを短いインターバルで連続して送信し続けるという特質を持つ。パケット送信のインターバルにより、図１０に示すように、１パケット当たりの音声ペイロードサイズが変更する。このため、システムとして許容するジッタバッファが４０ｍｓインターバルまでを許容する場合、本データサイズの上限はヘッダ部と音声データ（ペイロード）とを合わせて８０バイトとなる。
【００９８】
また、リアルタイム通信の特性として、宛先ＩＰアドレス、送信元ＩＰアドレス、ＵＤＰ宛先ポート番号、ＵＤＰ送信元ポート番号が、同一であり、且つ同一サイズのパケットを連続して送信する。このため、上記のサイズ判定に加えて、一定回数（n回）分同じサイズ且つ、ＩＰアドレス・ＵＤＰポート番号が同一の通信コネクションをリアルタイム通信とみなすこともできる。
【００９９】
ＲＬＰ部１３Ａによってリアルタイム通信用パケットであると判別された場合、ＲＰ部１５Ａは、リアルタイム通信用パケットを示す識別情報をリアルタイム通信用パケットに挿入する。第２無線基地局１Ｂは、当該識別情報が挿入されたパケットをリアルタイム通信用パケットとみなして、第１制御データを削除する。
【０１００】
本変更例では、リアルタイム通信用パケットとして、主に音声パケットを例に説明したが、映像データを伝送する映像パケットについてもリアルタイム性が要求されることがあるため、映像パケットもリアルタイム通信用パケットに含まれる。
【０１０１】
（６．２）変更例２
上述した第１変更例では、第２無線基地局１Ｂは、音声パケットなどのリアルタイム通信用パケットについてのみ第１制御データを削除していた。本変更例では、第２無線基地局１Ｂは、無線端末２との無線品質に応じて、第１制御データを削除するか否かを判定する。
【０１０２】
一般的に、無線品質が劣化するほど、無線通信チャネル当たりの通信帯域が狭くなる。特に、ＵＭＢシステムでは適応変調が導入され、無線品質が劣悪である場合にはBPSKのような狭帯域の適応変調クラスを用いた通信が行われる。このような状況下においては、ヘッダによるオーバヘッドが遅延やパケットロスを引き起こす一員となりうる。
【０１０３】
したがって、本変更例では、第２無線基地局１Ｂのヘッダ削除部５０は、ＰＣＰ／ＭＡＣ／ＰＨＹ部５６などから下り方向通信における無線品質（例えば、ＳＮＲ、ＲＳＳＩ、ＦＥＲなど）を取得し、無線品質が所定品質を下回るか否かを判定する。あるいは、無線品質と関連付けられた変調クラスを判定基準として用いてもよい。そして、ヘッダ削除部５０は、無線品質が所定品質を下回る場合に第１制御データを削除し、無線品質が所定品質を上回る場合に第１制御データの削除を中止する。
【０１０４】
このような構成によれば、ＵＭＢシステムに準拠しつつ、無線通信チャネル当たりの通信帯域が狭くなる場合に、ヘッダによるオーバヘッドを低減することができる。
【０１０５】
（６．３）変更例３
上述したように、無線端末２の第１受信処理部２０Ａ及び第２受信処理部２０Ｂの両方が動作すると、無線端末２の処理負荷が増大し、消費電力も増大する。一方、無線端末２の電池残量が少ない場合は、消費電力を低減し、無線端末２の動作可能時間を延長させることが望まれる。
【０１０６】
そこで、本変更例では、第２無線基地局１Ｂは、無線端末２から電池残量の情報を取得し、電池残量が所定量を下回る場合に第１制御データを削除し、電池残量が所定量を上回る場合に第１制御データの削除を中止する。このような制御によって、ＵＭＢシステムに準拠しつつ、無線端末２の電池残量が少ない場合において、無線端末２の動作可能時間を延長させることができる。
【０１０７】
あるいは、第１受信処理部２０Ａ及び第２受信処理部２０Ｂが同時に動作する頻度が多い場合、すなわち、無線端末２が高速に移動するために頻繁にハンドオーバを行う状況下において、第１制御データを削除する構成とすることもできる。
【０１０８】
（６．４）変更例４
上述した実施形態では、ＵＭＢシステムに基づく構成について説明したが、ＵＭＢシステムに限らず、ハンドオーバ時に無線基地局間でパケットを転送し、当該パケットに各無線基地局が制御データを挿入するシステムであれば本発明を適用可能である。
【０１０９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１１０】
【図１】本発明の実施形態に係るパケット通信システムの全体概略構成図である。
【図２】本発明の実施形態に係る第１無線基地局の概略構成を示す概略構成図である。
【図３】本発明の実施形態に係る無線端末の概略構成を示す概略構成図である。
【図４】本発明の実施形態に係る第２無線基地局に設けられるヘッダ削除部５０を説明するための図である。
【図５】本発明の実施形態に係る第１無線基地局、第２無線基地局及び無線端末の詳細構成を示す機能ブロック構成図である。
【図６】本発明の実施形態に係るパケット通信システムにおいて用いられるパケットの構成を示す図である。
【図７】本発明の実施形態に係るパケット通信システムの全体概略動作を説明するための概念図である。
【図８】本発明の実施形態に係る第２無線基地局の動作を示すフローチャートである。本発明の実施形態に係るパケット通信システムの動作パターン１を説明するための概念図である。
【図９】その他の実施形態に係る第１無線基地局、第２無線基地局及び無線端末の詳細構成を示す機能ブロック構成図である。
【図１０】その他の実施形態に係るリアルタイム通信用パケットの判別動作を説明するための図である。
【符号の説明】
【０１１１】
１Ａ…第１無線基地局、１Ｂ…第２無線基地局、２…無線端末、３…アクセスゲートウェイ、４…インターネット、１０Ａ…送信処理部、１０Ｂ…送信処理部、１１Ａ，１１Ｂ，２１Ａ，２１Ｂ，５１…ＡＰＰ部、１２Ａ，１２Ｂ，２２Ａ，２２Ｂ，５２…ＩＲＴＰ部、１３Ａ，１３Ｂ，２３Ａ，２４Ｂ…ＲＬＰ部、１４Ａ，１４Ｂ，２４Ａ，２４Ｂ…ＳＰ部、１５Ａ，１５Ｂ，２５Ａ，２５Ｂ…ＲＰ部、１６Ａ，１６Ｂ，２６Ａ，２６Ｂ，５６…ＰＣＰ／ＭＡＣ／ＰＨＹ部、２０Ａ…第１受信処理部、２０Ｂ…第２受信処理部、５０…ヘッダ削除部、５３…ＲＬＰヘッダ削除部、５４…ＳＰヘッダ削除部、５５…ＲＰヘッダ削除部、１００…パケット通信システム、１０１…ＲＦ部、１０２…制御部、１０３…Ｉ／Ｆ部、１０４…記憶部、２０１…ＲＦ部、２０２…操作部、２０３…制御部、２０４…音声コーデック部、２０５…マイク、２０６…スピーカ、２０７…表示部、２０８…記憶部
【図１】
0005054567.tif 000002
【図２】
0005054567.tif 000003
【図３】
0005054567.tif 000004
【図４】
0005054567.tif 000005
【図５】
0005054567.tif 000006
【図６】
0005054567.tif 000007
【図７】
0005054567.tif 000008
【図８】
0005054567.tif 000009
【図９】
0005054567.tif 000010
【図１０】
0005054567.tif 000011